(57)【要約】【課題】どのような面にも簡単に緑化ができ、立体的な景観が得られることを課題とする。【解決手段】剣山１４によって繊維が絡み合ったＣＰマット１８がコンクリート擁壁１２に取付けられており、このＣＰマット１８に客土２２が吹付けられ、その上に糊と共に粉砕したコケ２４が吹付けられる。コンクリート擁壁１２に客土２２を吹付けることで、コケ２４の生育が可能となり、糊の作用によって客土２２に確実にコケ２４が定着し、緑化壁面１０が形成される。このように、繊維が絡み合った軽量のＣＰマット１８を用いることで、客土２２が繊維にからみ、客土２２の定着効果が高くなる。客土２２は繊維に定着するので、降雨による客土２２の流出、剥離が防止でき、コケ２４の定着力が高まる。【選択図】    図４
2004194608.tif 000002
【特許請求の範囲】
【請求項１】
壁面に繊維が絡み合った立体マットを取付ける取付手段と、
前記立体マットに定着された緑化物と、を有する緑化壁面であって、
前記取付手段は、壁面に固定されるベースプレートと、前記ベースプレートから立設され、前記立体マットを引っ掛ける突起と、を備えた剣山であることを特徴とする緑化壁面。
【請求項２】
前記ベースプレートは、接着剤で壁面に接着固定させることを特徴とする請求項１に記載の緑化壁面。
【請求項３】
前記取付手段は、壁面に固定された固定ピンと、前記固定ピンの先端部分に設けられ前記壁面との間に前記立体マットを狭持する押さえ板と、からなることを特徴とする請求項１に記載の緑化壁面。
【請求項４】
前記取付手段は、前記立体マットを所定長さに渡って支える板材と、前記板材を壁面に固定するボルトと、からなることを特徴とする請求項１に記載の緑化壁面。
【請求項５】
前記立体マットに替えて、表裏にネットを配置し、その間に繊維を絡ませた立体ネットにしたことを特徴とする請求項１〜請求項３のいずれかに記載の緑化壁面。
【請求項６】
壁面に立体マットを取付ける第１の工程と、
前記立体マットに客土を吹付ける第２の工程と、
客土を吹付けた前記立体マットにコケを吹付ける第３の工程と、
からなることを特徴とする壁面緑化工法。
【請求項７】
前記第２の工程の客土には、芝の種子が混合されたことを特徴とする請求項６に記載の壁面緑化工法。
【請求項８】
前記第３の工程では、粉砕したコケを糊と共に吹付けたことを特徴とする請求項６または請求項７に記載の壁面緑化工法。
【請求項９】
コケを吹付けた前記立体マットの上下に、ツタ植物を植栽することを特徴とする請求項６〜請求項８のいずれかに記載の壁面緑化工法。
【請求項１０】
前記ツタ植物は、落葉性と常緑性との混植であることを特徴とする請求項９に記載の壁面緑化工法。
【請求項１１】
前記立体マットに替えて、表裏にネットを配置し、その間に繊維を絡ませた立体ネットにしたことを特徴とする請求項６〜請求項１０のいずれかに記載の壁面緑化工法。
【発明の詳細な説明】
【０００１】
【発明の属する技術分野】
本発明は、壁面を緑化する緑化壁面及び壁面緑化工法に関する。
【０００２】
【従来の技術】
建物外壁やコンクリート擁壁、高速道路の遮音壁のような建造物の垂直な壁面、あるいは垂直に近い急斜面の壁面の緑化は、人工地盤上の緑化などに比べて物理的効用が大きい。
【０００３】
その効用としては、気温緩和効果、すなわち、夏期には構造物の温度上昇抑制、冬期には構造物の断熱効果がある。その他にも、防音効果、暴風効果、防火的効用や火災延焼防止効果も認められ、景観の向上および植物のもつ環境改善効果もある。
【０００４】
例えば、道路建設のために山を切り開いた場合に道路の両側に法面ができる。この法面の崩壊を防ぐため、コンクリートで被覆することが行われている（特許文献１参照）。図１１に示すように、このコンクリート面１０２に透水性コンクリート１０４を吹付けてこの透水性コンクリート１０４に生育基盤材１０６を注入したのち、コケなどの乾燥に強い植物の混入植生基材１０８を吹付ける工法が採用されている。
【０００５】
しかし、上記工法によると、施工時に透水性コンクリート１０４が斜面から流れ落ちないように型枠を設けたり、透水性コンクリート１０４を法面に安定して積層させるためのセメントペースト１１０を吹付ける必要性が生じる。また、重量や厚みの関係で透水性コンクリートの配置場所が制限されることもある。
【０００６】
さらに、この工法では、透水性コンクリート１０４の表面に吹付けた混入植生基材１０８が降雨によって流失するのを防止する目的で、表面に植生ネット１１２をかぶせるなどの工事が行われるが、工事そのものが大掛かりとなり、コストアップとなる。
【０００７】
また、透水性コンクリートで緑化された法面は平坦な面となり、景観的に無機質化を感じる。
【０００８】
【特許文献１】
特開２００２−１４６７９８公報（第２−３項、第１図）
【０００９】
【発明が解決しようとする課題】
本発明は上記事実を考慮し、どのような面にも簡単に緑化ができ、その上、立体的な景観が得られる緑化壁面及び壁面緑化工法を提供する。
【００１０】
【課題を解決するための手段】
上記課題を解決するために、請求項１に記載の本発明の緑化壁面は、壁面に繊維が絡み合った立体マットを取付ける取付手段と、前記立体マットに定着された緑化物と、を有する緑化壁面であって、前記取付手段は、壁面に固定されるベースプレートと、前記ベースプレートから立設され、前記立体マットを引っ掛ける突起と、を備えた剣山であることを特徴としている。
【００１１】
請求項１に記載の発明によれば、ベースプレートから突起が立設された剣山の突起に繊維が絡み合った立体マットが引っ掛かるようにして壁面に取付けられており、この立体マットに緑化物が定着されている。
【００１２】
このように、繊維が絡み合った軽量の立体マットを用いることで、緑化物が繊維にからみ、定着効果が高くなる。緑化物は繊維に定着するので、降雨による緑化物の流出、剥離が防止できる。
【００１３】
また、立体マットの厚みを厚くすることで、冬期には保温効果が得られる。夏期には、壁面がコンクリートである場合には、立体マットを用いることで壁面の温度上昇の防止となり、壁面周囲の気温上昇にも歯止めができる。
【００１４】
さらに、緑化物の定着用として、立体マットを用いることで、壁面にかかる荷重を軽減させる効果がある。
【００１５】
また、取付手段として剣山を用いることで、立体マットは剣山の突起に引っ掛かり、簡単に壁面に取付けることができ、壁面からずれたり落ちたりすることがない。
【００１６】
請求項２に記載の本発明の緑化壁面は、前記ベースプレートは、接着剤で壁面に接着固定させることを特徴としている。
【００１７】
請求項２に記載の発明によれば、剣山のベースプレート部分を壁面に接着剤で接着固定することで、剣山に引っ掛けられた立体マットを壁面にしっかりと固定でき、壁面に傷をつけることもない。
【００１８】
請求項３に記載の本発明の緑化壁面は、前記取付手段は、壁面に固定された固定ピンと、前記固定ピンの先端部分に設けられ前記壁面との間に前記立体マットを狭持する押さえ板と、からなることを特徴としている。
【００１９】
請求項３に記載の発明によれば、立体マットは固定ピンと固定ピンの先端部分に設けられた押え板との間に挟まれる。したがって、立体マットは固定ピンに引っ掛かけられて壁面に固定され、壁面の面上の移動が阻止される。また、押え板によって立体マットが固定ピンから抜け落ちない。
【００２０】
請求項４に記載の本発明の緑化壁面は、前記取付手段は、前記立体マットを所定長さに渡って支える板材と、前記板材を壁面に固定するボルトと、からなることを特徴としている。
【００２１】
請求項４に記載の発明によれば、立体マットはボルトによって壁面に固定された板材によって支えられている。したがって、立体マットは壁面の下方へ滑り落ちることがなく、壁面に固定される。
【００２２】
請求項５に記載の本発明の緑化壁面は、前記立体マットに替えて、表裏にネットを配置し、その間に繊維を絡ませた立体ネットにしたことを特徴としている。
【００２３】
請求項５に記載の発明によれば、ネット製なので、突起や固定ピンに引っ掛けることが容易となる。また、緑化物が繊維に絡みやすい。
【００２４】
請求項６に記載の本発明の壁面緑化工法は、壁面に立体マットを取付ける第１の工程と、前記立体マットに客土を吹付ける第２の工程と、客土を吹付けた前記立体マットにコケを吹付ける第３の工程と、からなることを特徴としている。
【００２５】
請求項６に記載の発明によれば、壁面に立体マットを取付けて、立体マットに客土を吹付ける。これにより、客土でのコケの生育が可能となって緑化壁面が形成される。
【００２６】
請求項７に記載の本発明の壁面緑化工法は、前記第２の工程の客土には、芝の種子が混合されたことを特徴とする。
【００２７】
請求項７に記載の発明によれば、客土が立体マットに吹付けられ、客土に混合された芝の種子が発芽して成長したとき、芝の根が客土と立体マット内に密生する。その芝の根に、客土に吹付けられたコケの仮根が絡みつき、コケが客土と立体マットに確実に固定される。
【００２８】
請求項８に記載の本発明の壁面緑化工法は、前記第３の工程では、粉砕したコケを糊と共に吹付けたことを特徴とする。
【００２９】
請求項８に記載の発明によれば、糊と共に粉砕したコケを吹付けることで、コケが確実に客土に定着する。
【００３０】
請求項９に記載の本発明の壁面緑化工法は、コケを吹付けた前記立体マットの上下に、ツタ植物を植栽することを特徴としている。
【００３１】
請求項９に記載の発明によれば、立体マットを取付けた壁面の上下からツタ植物を植栽することで、コケとツタ植物との二段階の緑化となり、ボリューム感が得られる。また、壁面に立体マットを取付けることで、ツタ植物が伸長して所々で根を出し、立体マット内に侵入するので、壁面上の被覆が容易になされる。
【００３２】
また、ツタを這わす壁面を客土とコケとで形成することで、壁面の温度上昇が抑制され、ツタの生育が良くなる。
【００３３】
請求項１０に記載の本発明の壁面緑化工法は、前記ツタ植物は、落葉性と常緑性との混植であることを特徴としている。
【００３４】
請求項１０に記載の発明によれば、落葉性のツタ植物として、例えば、成長が非常に早いナツヅタと、このナツヅタの後を追うように成長する常緑性のツタ植物として、例えば、ヘデラ・カナリエンシスを混植することで、ツタによる緑化面積が早く行える。
【００３５】
請求項１１に記載の本発明の壁面緑化工法は、前記立体マットに替えて、表裏にネットを配置し、その間に繊維を絡ませた立体ネットにしたことを特徴としている。
【００３６】
請求項１１に記載の発明によれば、壁面に取付ける立体マット替えて立体ネットを用いることで、突起や固定ピンに引っ掛けることが容易となり、施工性に優れる。また、緑化物が繊維に絡みやすい。
【００３７】
【発明の実施の形態】
第１の実施形態に係る緑化壁面１０を構築する壁面緑化工法を図１〜図５にしたがって説明する。
【００３８】
図１に示すように、法面を保護するコンクリート擁壁１２の斜面に図５に示した剣山１４を縦横に並べて設置する。剣山１４は、プラスチック製で矩形枠状のベースプレート１６を備えており、このベースプレート１６の四隅からは突起部２０が突設されている。
【００３９】
図２に示すように、ベースプレート１６をコンクリート用接着剤を用いてコンクリート擁壁１２に固定した後、突起部２０には繊維が絡みあって形成されたＣＰマット１８が取付けられる。このＣＰマット１８の繊維が突起部２０に絡んで、ＣＰマット１８が剣山１４に固定される。
【００４０】
次に、図３に示すように、吹付装置から圧縮空気により管路１７を通じて客土２２を輸送し、管路１７の先端のノズル１５から高速でＣＰマット１８へ客土２２を吹付ける。客土２２は、ピートモス、バーク、炭粉、土壌及び芝の種子が適当な割合で混合されたものが用いられる。ＣＰマット１８に客土２２が１〜２ｃｍ程度の厚さで吹付けられ、客土２２に混合された芝の種子が発芽して１０〜２０ｃｍ程度に成長する。成長した芝の根が客土２２内に密生し、ＣＰマット１８の繊維にしっかりと絡みつくことで、ＣＰマット１８に吹付けられた客土２２が、ＣＰマット１８から剥がれ落ちることがない。
【００４１】
次に、客土２２の表面にコケ２４をノズル１５から０．５〜１ｃｍ程度の厚さで吹付ける。コケ２４は、スナゴケ、ハイゴケをはじめとする各種コケ類が使用される。このコケ２４は粉砕され、糊等の接着部材と共に吹付けられる。コケ２４を糊と共に吹付けることで、コケ２４が客土２２にしっかりと付着する。糊は、ポルトランドセメント、アスファルト乳剤、ポリ酢酸ビニール等が用いられる。客土２２内に密生した芝の根に、吹付けられたコケ２４の仮根が絡みつき、コケ２４が客土２２とＣＰマット１８に確実に固定される。
【００４２】
ここで、図４に示すように、コンクリート擁壁１２の上部及び下部にツタ植物２６をコケ２４の上から客土２２に植栽する。例えば、ナツヅタを植え付け、コケ２４を吹付けた面上を這わせるようにする。このナツヅタはつるを伸ばし、所々で根を出して、根毛が客土２２内に進入してＣＰマット１８の繊維や客土２２に絡みつき、コケ２４の表面を覆う。
【００４３】
ツタ植物２６は、成長が非常に早い落葉性のツタ植物と、このツタ植物を追うように成長する常緑性のツタ植物を混植することで、早いスピードでコンクリート擁壁１２をツタ植物２６で覆うことができる。落葉性ツタ植物には、ツルアジサイ、ノウゼンカズラ類、ナツヅタ、アメリカヅタなどが用いられ、常緑性のツタ植物には、イタビカズラ類、ヘデラ類、テイカカズラ、ツリガネカズラなどが用いられる。例えば、ナツヅタは夏期のコンクリート面や金属面等の６０度を超える状況においても吸着根で伸長していくことができる。このナツヅタを先に植栽し、伸長したナツヅタの葉が日陰を作ることになり、後から植栽したヘデラ類の伸長が可能となる。
【００４４】
夏期には、コンクリートの斜面や壁面は直射日光によって温度が上昇するので、従来工法でツタ植物２６を植栽しても成長が妨げられてしまうが、コンクリート擁壁１２をコケ２４で覆うことによって、コンクリート擁壁１２の温度上昇が防止され、ツタ植物２６の生殖が良くなる。
【００４５】
次に、第1の実施形態の作用を説明する。
【００４６】
図２に示すように、剣山１４によって繊維が絡み合ったＣＰマット１８がコンクリート擁壁１２に取付けられており、図３に示すように、このＣＰマット１８に客土２２が吹付けられ、その上に糊と共に粉砕したコケ２４が吹付けられる。コンクリート擁壁１２に客土２２を吹付けることで、コケ２４の生育が可能となり、糊の作用によって客土２２に確実にコケ２４が定着し、緑化壁面１０が形成される。
【００４７】
このように、繊維が絡み合った軽量のＣＰマット１８を用いることで、客土２２が繊維にからみ、客土２２の定着効果が高くなる。客土２２は繊維に定着するので、降雨による客土２２の流出、剥離が防止でき、コケ２４の定着力が高まる。
【００４８】
また、ＣＰマット１８の厚みを厚くすることで、冬期には保温効果が得られる。夏期には、ＣＰマット１８を用いることでコンクリートのコンクリート擁壁１２の温度上昇が防止でき、コンクリート擁壁１２周囲の気温上昇にも歯止めができる。
【００４９】
さらに、コケ２４の定着用として、ＣＰマット１８を用いることで、コンクリート擁壁１２にかかる荷重を軽減させる効果がある。また、ＣＰマット１８は軽量のため施工性にすぐれ、形状の自由度も大きい。
【００５０】
また、図４に示すように、ＣＰマット１８を取付けた壁面の上下からツタ植物２６を植栽することで、コケ２４とツタ植物２６との二段階の緑化となり、ボリューム感が得られる。コンクリート擁壁１２にＣＰマット１８を取付けることで、ツタ植物２６が伸長して所々で根を出し、ＣＰマット１８内に侵入するので、コンクリート擁壁１２上の被覆が容易になされる。ツタ植物２６を這わすコンクリート擁壁１２を客土２２とコケ２４とで形成することで、コンクリート擁壁１２の温度上昇が抑制され、ツタ植物２６の生育が良い。この２段階の緑化は、壁面からの照り返し防止やドライバーの目の保護等にもなる。
【００５１】
コケは炭酸ガス同化作用により炭素を体内に固定化する働きを持っており、高速道路遮音壁や道路脇の法面をコケで覆うことは、地球温暖化の抑制効果となる。
【００５２】
なお、本実施形態では、コンクリート擁壁１２に剣山１４を固定する手段として接着剤を用いたが、接着剤に限らず接着テープでも構わない。
【００５３】
また、立体マットはＣＰマットに限らず、繊維で形成されるマットであればよい。天然繊維のマットも使用可能ではあるが、耐腐蝕性に優れないため、化学繊維のマットを用いることが好ましい。
【００５４】
次に、第２の実施形態に係る緑化壁面１１を構築する壁面緑化工法を図６〜図８にしたがって説明する。
【００５５】
図６に示すように、法面を保護するコンクリート擁壁１２の斜面に図７または図８に示した固定ピン２８を所定の位置に配設する。固定ピン２８は円板状のヘッド部３０を備えており、ヘッド部３０は長板３８に押さえられ、コンクリート擁壁１２に固定される。
【００５６】
この長板３８の両端には貫通孔３７が形成されている。この貫通孔３７にボルト４０を差し込み、コンクリート擁壁１２に穿設した孔３９へ挿入して接着剤で固定することで、長板３８がコンクリート擁壁１２に固定される。
【００５７】
また、ヘッド部３０からはピン部３２が突設されており、このピン部３２は長板３８に形成された孔３６に貫通して、ＣＰマット１８が引っ掛けられる。
【００５８】
さらに、ピン部３２の先端部にはプッシュリング３４が設けられており、ＣＰマット１８はこのプッシュリング３４に押さえられてプッシュリング３４と長板３８との間に挟まれ、ピン部３２から抜け出さないようになっている。このようにして、ＣＰマット１８がコンクリート擁壁１２に固定される。ＣＰマット１８の取付方法以外は第１形態と同様なので割愛する。
【００５９】
次に、第２の実施形態の作用を説明する。
【００６０】
図６〜図８に示すように、ＣＰマット１８は長板３８とピン部３２の先端部分に設けられたプッシュリング３４との間に挟まれる。したがって、ＣＰマット１８は固定ピン２８のピン部３２に引っ掛かけられてコンクリート擁壁１２に固定され、コンクリート擁壁１２の面上の移動が阻止される。また、プッシュリング３４によってＣＰマット１８が固定ピン２８から抜け落ちない。
【００６１】
次に、第３の実施形態に係る緑化壁面１３を構築する壁面緑化工法を図９にしたがって説明する。
【００６２】
図９に示すように、法面を保護するコンクリート擁壁１２の斜面の所定の位置に、固定アングル４４を配置する。固定アングル４４の一方の板部５２が第２形態と同じようにボルト４０でコンクリート擁壁１２に固定されている。他方の板部５４はコンクリート擁壁１２に対して略垂直に位置し、ＣＰマット１８の下端が板部５４に支えられるように載置される。このＣＰマット１８の上端側には、別の固定アングル４４が設けられ、この固定アングル４４の板部５４に上端を押さえられて、ＣＰマット１８はコンクリート擁壁１２に固定される。ＣＰマット１８の取付方法以外は第１形態と同様なので割愛する。
【００６３】
次に、第３の実施形態の作用を説明する。
【００６４】
図９に示すように、ＣＰマット１８はボルト４０によってコンクリート擁壁１２に固定された固定アングル４４に囲まれている。したがって、ＣＰマット１８はコンクリート擁壁１２の下方へ滑り落ちることがなく、コンクリート擁壁１２に固定される。
【００６５】
なお、本発明の緑化壁面は、法面に限らず建物の壁面、屋根などにも用いることが可能である。斜面の勾配は水平、６０度、垂直のいずれにおいても可能であるが、コケ育成のために降雨による雨水確保のために、垂直よりも少し傾いている方がより適している。
【００６６】
また、本実施形態において、取付手段として剣山、固定ボルト、固定アングルを用いたが、ＣＰマット１８を法面にアンカーを打ち込んで固定させても良い。
【００６７】
さらに、実施形態ではＣＰマット１８を用いて説明したが、図１０に示す立体ネット５０を緑化物に用いてもよい。立体ネットは表裏にネット５２、５４を配置し、その間に繊維５６を絡ませて形成され、剣山１４の突起部２０などに引っ掛けやすいのでＣＰマット１８のように突起部２０の間に押し込みながら取付ける必要がない。
【００６８】
【発明の効果】
本発明は上記構成としたので、どのような面にも簡単に緑化ができ、立体的な景観が得られる。
【図面の簡単な説明】
【図１】第１形態に係る壁面緑化工法の第１の工程を示す側面図である。
【図２】第１形態に係る壁面緑化工法の第２の工程を示す側面図である。
【図３】第１形態に係る壁面緑化工法の第３の工程を示す側面図である。
【図４】第１形態に係る壁面緑化工法の側面図である。
【図５】第１形態に係る壁面緑化工法に用いる剣山の斜視図である。
【図６】第２形態に係る壁面緑化工法の側面図である。
【図７】第２形態に係る取付手段の分解斜視図である。
【図８】第２形態に係る取付手段の斜視図である。
【図９】第３形態に係る壁面緑化工法の側面図である。
【図１０】本実施形態に係る壁面緑化工法に用いられるＣＰネットの変形例の図である。
【図１１】従来の壁面緑化工法の側面図である。
【符号の説明】
１０  緑化壁面
１１  緑化壁面
１２  コンクリート擁壁（壁面）
１３  緑化壁面
１４  剣山（取付手段）
１６  ベースプレート（取付手段）
１８  ＣＰマット（立体マット）
２０  突起部（突起、取付手段）
２２  客土（緑化物）
２４  コケ（緑化物）
２６  ツタ植物
２８  固定ピン（取付手段）
３４  プッシュリング（押え板、取付手段）
４０  ボルト（取付手段）
４４  固定アングル（板材、取付手段）
５０  立体ネット
５２  ネット
５４  ネット
５６  繊維
【図１】
2004194608.tif 000003
【図２】
2004194608.tif 000004
【図３】
2004194608.tif 000005
【図４】
2004194608.tif 000006
【図５】
2004194608.tif 000007
【図６】
2004194608.tif 000008
【図７】
2004194608.tif 000009
【図８】
2004194608.tif 000010
【図９】
2004194608.tif 000011
【図１０】
2004194608.tif 000012
【図１１】
2004194608.tif 000013